Podtech/llm-jp-corpus-v4-ja_patent huggingface dataset:
(57)【要約】【課題】卓上で作業の邪魔にならず、機械式マウスも光学式マウスも快適に動作するマウスパッドを提供する。また、マウスパッド以外の用途にも利用できるようにする。【解決手段】薄紙の片側全面に接着剤又は粘着剤が塗布された構成とする。また複数枚で１つのマウスパッドとしても利用できるように分割構成も可能にする。【選択図】図１
2007257594.tif 000002
【特許請求の範囲】
【請求項１】
片面全体或いは小面積だけ残し、接着剤又は粘着剤が塗布された薄紙のマウスパッド。
【請求項２】
片面にスケジュール表又はカレンダーが印刷された請求項１のマウスパッド。
【請求項３】
部分的に取り替えが可能な請求項１又は請求項２のマウスパッド。
【発明の詳細な説明】
【技術分野】
【０００１】この発明は、機械式マウスも光学式マウスも快適に使え、予定表、カレンダー、メモ用紙等にも利用できるマウスパッドに関するものである。
【背景技術】
【０００２】従来から、パソコン等で用いられるマウスを快適に動作させるためにマウスパッドが用いられてきた。しかしそれは、たいてい数ミリの厚みを持っていてキーボードや卓上で使われる文具などの邪魔になり易かった。また近年は光学式マウスが多くなりマウスパッドの需要は少なくなっているが、光学式マウスでも正常に動作しない材質の机が有るので、邪魔にならず機械式マウスも光学式マウスも快適に使えるマウスパッドの出現が望まれていた。
【発明の開示】
【発明が解決しようとする課題】
【０００３】本発明は前記の様に、卓上でキーボードや文具等の邪魔にならず、機械式マウスも光学式マウスも快適に動作するマウスパッドを実現することを目的とする。また、マウスパッド以外の用途にも利用出来るようにする。
【課題を解決するための手段】
【０００４】前記目的を達成するために、片面全体、或いは剥離紙や卓上から剥がし易くするために一部分を残し、接着剤又は粘着剤が塗布された薄紙でマウスパッドを作成する。そして、このマウスパッドは卓上に貼りつけて使用する。また、製造時に接着面に剥離紙を貼りつけておき、使用時に剥がして卓上に貼りつける。更に、スケジュール表、カレンダー、メモ用紙等にも使い易い材質とする。
【発明の効果】
【０００５】１．卓上に貼りつけられることで動かず大変安定に使用出来る。
２．カレンダーやスケジュール表、或いは紛失し難いメモ用紙としても利用出来る。
３．安価である。
４．度々取り替えても経済負担が少ないので、いつも美しい状態を保ち易い。
５．卓上のスペースを占拠しない。
６．ユーザーが自由に図柄を印刷出来る。
７．機械式マウスも光学式マウスも快適に使える。
【発明を実施するための最良の形態】
【０００６】以下、本発明の実施形態を図１、図２、図３によって具体的に説明する。【０００７】図１は剥離紙が貼られた本発明のマウスパッドを卓上に貼る場合の説明図である。図１において薄紙のマウスパッド１の下側全面に接着剤又は粘着剤が塗布されている。そしてその接着面には剥離紙２が貼ってあるので、未使用状態では接着面が露出することもなく扱いやすい。そして机に貼りつける時に剥離紙２を剥がす。薄紙のマウスパッド１はそのままでは強度が低いが、机３に貼りつけられることで机とマウスパッドが一体になりその欠点は著しく改善される。また、紙は適度な滑りと摩擦を兼ね備えているものを造りやすいので機械式マウスも光学式マウスも快適に使えるマウスパッドを製造出来る。
尚、接着剤又は粘着剤は綺麗に容易に剥がせるものが使用されるべきである。【０００８】図２は実際の使用状態の図である。マウスパッド１は薄いし卓上に貼りつけられているのでこの上にキーボード４や事務用品等が乗ってもなんら問題は起こり難い。そのため卓上を有効に利用出来る。【０００９】図３は半分づつ貼り替え出来るタイプの本発明マウスパッド説明図である。この構成では２分割マウスパッドの右側６に１ヶ月分、２分割マウスパッドの左側７に次月分という具合にスケジュール表やカレンダーを印刷して毎月どちらかを取り替えるようにすれば、月をまたがるスケジュール等の管理も容易である。
【図面の簡単な説明】
【００１０】
【図１】本発明のマウスパッドを卓上に貼る場合の説明図
【図２】本発明の使用状態説明図
【図３】半分づつ貼り替え出来るタイプの本発明マウスパッド説明図
【符号の説明】
【００１１】１はマウスパッド本体
２は剥離紙
３は机
４はキーボード
５はマウス
６は２分割マウスパッドの右側
７は２分割マウスパッドの左側
【図１】
2007257594.tif 000003
【図２】
2007257594.tif 000004
【図３】
2007257594.tif 000005
(57)【要約】【課題】従来の信号機より、比較的目線が低い位置で信号灯を確認できるようにした信号機を提供する。【解決手段】割合、細長い枠を造りこの中に長方形の信号灯を嵌め込み細長式車両用信号機の形に造り、これを従来の信号機の支柱の比較的低い部分に設置する。従来の信号灯と細長式信号機の信号灯は併用して使用できる。また細長式信号機の信号灯は角型、菱形、三角形にもできる。【選択図】図２
2007257600.tif 000002
【特許請求の範囲】
【請求項１】
（イ）割合い縦に細長い形の枠を造り、これに信号灯を嵌め込む。
（ロ）この枠に長方形の信号灯を嵌め込む。
【請求項２】
（イ）角型の信号灯を請求項１の割合い細長い形の枠に嵌め込む。
【請求項３】
（イ）菱形の信号灯を請求項１の割合い細長い形の枠に嵌め込む。
【請求項４】
（イ）三角形の信号灯を請求項１の割合い細長い形の枠に嵌め込む。
以上の構成からなる細長式車両用信号機。
【発明の詳細な説明】
【技術分野】
【０００１】本発明は、細長い形の中に長方形にした信号灯を嵌め込みにした信号機を、比較的に低い位置に設置しようとする車両用信号機に関するものである。
【背景技術】
【０００２】従来の車両用信号機は、比較的に高い位置に設置されていた。
【発明の開示】
【発明が解決しようとする課題】
【０００３】そのために、次のような問題点があった。
（イ）自転車や、バイクまたはオ−トバイに乗り幹線道路等を走行したとき、車両用信号機が比較的に高い位置に設置してあるので、雨降りの時や太陽の光が西側より射す時は信号灯を見落とす危険があった。
（ロ）軽自動車を運転する高齢者の人が近年増加してきており、道路または、幹線道路等を高齢者の人が軽自動車を運転したとき車両用信号機が比較的に高い位置に設置されてあるので、高齢者の方々にとっては確認しずらく、運転が散漫になり危険を伴うことがあった。
（ハ）大型トラックや大型バスの後方を走行する乗用車を運転する方々には、従来の信号機では見えずらいときもあった。
本発明は、以上の問題点を解決するためのものである。
【課題を解決するための手段】
【０００４】細長い枠を造り、この中に長方形の信号灯を嵌め込み割合に縦に細長い信号機の形に造る、この信号機を比較的低い位置に設置する。
以上を特徴とする信号機である。
【発明の効果】
【０００５】割合いに、縦に細長い信号機を比較的低い位置に設置するので見易い。とくに、自転車やバイクに乗る方々には雨降りの時にも確認しやすい等の効果があり、また従来の信号機と併用することにより尚一層の確認がしやすく、高齢者ドライバ−の方々や大型車の後方を走る乗用車のドライバ−の方々には従来の信号機だけよりは確認が容易にできる。
【発明を実施するための最良の形態】
【０００６】以下、本発明の実施の形態について説明する。
（イ）図１にある、割合い縦に細長い形の枠を造る（１）この枠のなかに長方形にした信号灯（２）（３）（４）を嵌める。
（２）（３）（４）の信号灯は、緑色、黄色、赤色と点滅する。
（ロ）図２にある、従来の信号機の支柱（９）に細長式車両用信号機（７）を比較的に低い位置（８）に設置する。
（ハ）従来の信号灯（１０）（１１）（１２）と細長式車両用信号記（７）の信号灯（２）（３）（４）は併用する。
【図面の簡単な説明】
【０００７】
【図１】本発明の細長い形の枠と長方形にした信号灯の斜視図。
【図２】従来の信号機支柱に本発明の細長式信号機を設置した斜視図。
【図３】従来の信号機支柱に本発明の細長式信号機を設置した斜視図。
【図４】本発明の細長式信号機と従来の信号機を比較した正面図
【図５】本発明の斜視図
【図６】本発明の斜視図
【図７】本発明の斜視図
【符号の説明】
【０００８】    １  細長い形の枠
２  長方形にした信号灯
３  長方形にした信号灯
４  長方形にした信号灯
５  接合部分
６  接合部分
７  細長式車両用信号機
８  細長式車両用信号機の設置箇所
９  従来の信号機支柱
１０従来の信号灯
１１従来の信号灯
１２従来の信号灯
１３角型信号灯
１４菱形信号灯
１５三角形信号灯
【図１】
2007257600.tif 000003
【図２】
2007257600.tif 000004
【図３】
2007257600.tif 000005
【図４】
2007257600.tif 000006
【図５】
2007257600.tif 000007
【図６】
2007257600.tif 000008
【図７】
2007257600.tif 000009
(57)【要約】      （修正有）【課題】  印刷工程を省き封入時間を短縮する。封筒のリサイクルを推進する。【解決手段】  透明封筒内に宛先、差出人、広告を一体に印刷し、かつ一端を山折りにしたものを同封する。【選択図】図２
2007126205.tif 000002
【特許請求の範囲】
【請求項１】
透明封筒に宛先、差出人、広告部を一体に印刷し、かつ上部を山形に折った物を同封する構成。
【発明の詳細な説明】
【発明の詳細な説明】
この発明、封筒の表面に宛先を印刷することなく、宛先、差出人、広告部を一体に印刷し、かつ上部を山形に折った物を封筒内部に同封することにしたものである。
従来、封筒の表側に宛先を裏側に差出人を印刷するものが主であったが、宛名を印刷したり、宛名シールを封筒に貼り付けるための手間がかかっていた。また、封筒も一回限りの使い捨てになることが多かった。本発明はその欠点を除くためのものである。
それを図面について説明すれば、図１に示すように、宛名カード１は山折部２、宛名記載部３、差出人記載部４および広告記載部５からなる。図２に示すように、透明封筒７内にて宛名カード１は、山折部１０と内容物８の上端部９によって固定されている。
【図面の簡単な説明】
【図１】本発明の正面図である。［符号の説明］１は宛名カード、２は山折部、３は宛名記載部、４は差出人記載部、５は広告記載部、６は料金後納郵便表示部
【図２】本発明の正面図である。［符号の説明］１は宛名カード、７は透明封筒、８は内容物、９は内容物の上端部、１０は山折り部上端
【図１】
2007126205.tif 000003
【図２】
2007126205.tif 000004
(57)【要約】【課題】電車やバスなどの車内で立っているとき、鞄や荷物を手に持つことなく、両手で新聞や本などを持って読んだり、書きものができて、身体の安定と重量負担を解消し、疲労も防ぐことができる、吊り輪やパイプに掛ける両手開放式車内腕掛けベルトを提供する。【解決手段】全体を一本のベルト（１）状に形成し、その途中に長さ調整用固定器具（４）を取り付け、さらに上下の環状に区切られるよう途中に、調整用器具（３）を設け、上環状に上端フック（２）を取り付け、下環状に下端フック（５）を取り付けることを特徴とした、両手開放式車内腕掛けベルト。【選択図】図１
2007126111.tif 000002
【特許請求の範囲】
【請求項１】
全体を一本のベルト（１）状に形成し、その途中に長さ調整用固定器具（４）を取り付け、さらに上下の環状に区切られるよう途中に、調整用器具（３）を設け、上環状に上端フック（２）を取り付け、下環状に下端フック（５）を取り付けることを特徴とした、両手開放式車内腕掛けベルト。
【発明の詳細な説明】
【技術分野】
【０００１】  本発明は電車やバスなどの車内で立っているとき、鞄や荷物を手に持つことなく、両手で新聞や本などを持って読んだり、書きものができて、身体の安定と重量負担を解消し、疲労も防ぐことができる、吊り輪やパイプに掛ける両手開放式車内腕掛けベルトに関するものである。
【背景技術】
【０００２】  電車やバスの車内で立っているとき、つり輪やパイプを持ち、片手に荷物を持つと、新聞や本など読むとき両手が使えず不自由なうえ、手荷物の重量負担もあり、非常に身体が疲れた。
従来、車内で両手を自由に使えるアイディアとしては、ショルダーバッグやリュックザックに荷物を入れてポールに腰をあずけ、体の安定を保ちながら両手を使ったり、また肩からベルトを提げ下側にフックをつけて荷物を掛けるアイディアがあった。
【発明の開示】
【発明が解決しようとする課題】
【０００３】      そのために、次のような問題点があった。
（イ）車内で立って、新聞や本などを安定した姿勢で読むことができない。
（ロ）片手で吊り輪やパイプなど持ち、一方で新聞や本など持っても安定しないため、    読みにくい。
（ハ）片手で吊り輪やパイプなど持つと、書きものができない。
（ニ）鞄や荷物を持ったまま立っていると、重量負担で疲れる。
（ホ）手荷物を網棚にのせると、とり忘れてしまう恐れがある。
（ヘ）吊り輪やパイプを持つ手が疲れ、居眠りをしたとき手が外れる危険性がある。
本発明はこれらの問題点を解決しようとするものである。
【課題を解決するための手段】
【０００４】  全体を一本のベルト（１）状に形成し、その途中に長さ調整用固定器具（４）を取り付け、さらに上下の環状に区切られるよう途中に、調整用器具（３）を設け、上環状に上端フック（２）を取り付け、下環状に下端フック（５）を取り付けることを特徴とした、両手開放式車内腕掛けベルトである。
【発明の効果】
【０００５】  以下、本発明の効果を説明する。
（イ）車内に立っていても、吊り輪やパイプを持たずに両手が開放されて、新聞や本な    どを両手で持って読むことができ、書き動作も楽である。
（ロ）車内で立っているとき、右または左の腕を環状に差し込み、腋の下でささえ腕を    しめると安定し、ベルトに体をあずけられ疲労を防げる。
（ハ）車内で立って片手で吊り輪などを持ち、片手で手荷物を持ちながら新聞など広げ    ると、読みにくいうえ、急停車の際など危険であるが、これを解消できる。
（ニ）下端フックに手荷物を掛けることができるため、網棚へのせずに身に付けておけ    て、安全のうえ忘れ物をしない。
（ホ）このベルトは、吊り輪やパイプに、容易に掛けたり外したりすることができ、鞄    などに収納して、手軽に携帯できる。
【発明を実施するための最良の形態】
【０００６】  以下、本発明の実施の形態について説明する。
（イ）片端に長さ調整用固定器具（４）を取り付けたベルト（１）の先端を、長さ調整        用固定器具（４）に差し入れて環状にする。
（ロ）環状にしたベルト（１）を、２枚に合わせ途中に調整用器具（３）を取り付ける        。
（ハ）調整用器具（３）を境にして、上側環状部に上端フック（２）を取り付け、下側        環状部に下端フック（５）を取り付ける。上下端フックは各々固定せず、全体の        長さに合わせてベルト内をスライドできる。
（ニ）素材はプラスチックなどにこだわらないが、機能効果、軽量、強度、耐久性など        を満たす素材である。
本発明は以上のような構成である。車内で使用するときは、上端フック（２）を吊り輪かパイプに掛けて、身長や荷物の丈も考慮した全体の長さを、長さ調整用固定器具（４）で固定する。次に上環状に腕を差し込み、腋の下位置ほどに調整用器具（３）で位置合わせをしたのち、下端フックに荷物を掛ける。上環状に腕を差し込み、身体をベルトにあずけた状態で両手が開放される。
【図面の簡単な説明】
【０００７】
【図１】  本発明の立体図
【図２】  本発明の使用実像略図
【符号の説明】
【０００８】      １  ベルト
２  上端フック
３  調整用器具
４  長さ調整用固定器具
５  下端フック
【図１】
2007126111.tif 000003
【図２】
2007126111.tif 000004
(57)【要約】【課題】津波及び水難災害時瞬時に複数の人が難を逃れ生命維持が出来る救命具を提供する事を課題とする。【解決手段】圧縮気体（圧縮液化気体）を使い身体の廻りに浮力のある衝撃緩衝空間と同時に呼吸用空気室を同時に設けその中に身体を置く事で難を逃れる救命具を提供する事。【選択図】図４
2007126113.tif 000002
【特許請求の範囲】
【請求項１】
本体に格納された圧縮気体及び圧縮液化気体により衝撃緩衝気体室を含む複数の連結された空気室を膨らませ１人以上複数の人間、動物、物の周りを被いつくし、障害物からの身体の保護と呼吸用の空気室を確保し、全体の水に対する浮力も作り水に浮遊する特徴を持つ水難緊急浮遊救命具。
【請求項２】
水難緊急浮遊救命具は折り畳まれた衝撃緩衝気体室を含む複数の空気室と圧縮空気室で出来ており携帯、常備設置が可能である事の特徴を持つ請求項１の水難緊急浮遊救命具。
【請求項３】
各空気室は圧縮空気室からの一方方向弁を有しており、障害物により破裂しても他の空気室には影響が無く全体としての性能低下を最小限にする事が出来る特徴を持つ請求項１，２の水難緊急浮遊救命具。
【発明の詳細な説明】
【技術分野】
【０００１】気体の水中に於ける浮遊力を利用し緊急時圧縮気体を瞬時に膨張させる事で救命具を開きその中に人、動物が入り密閉することが出来津波を含む水難災害に対応する救命具。
【背景技術】
【０００２】救命胴衣等は水難災害に於いて水面に浮かぶ補助的な物が殆どで、津波及び濁流に巻き込まれ水中に長時間身を置かれた場合水面に浮上するまで呼吸が出来ず水を飲んだり窒息死に至る事も有る。【０００３】殆どの救命胴衣等では身体の露出部分が多く津波及び濁流等に含まれる障害物（木材、金属片、石等）に接触し怪我をする可能性が強く場合によっては死に至る事も有る。【０００４】部屋式の水難救命具案もあるが、特定の場所に設置形が多く設置場所へ行くのも困難で入れる人数にも限りが有り特定の場所以外は意味が無い。【０００５】水難緊急時にお年寄り、子供等弱者にとっては迫り来る津波や水難災害から逃げ廻るのは困難である。
【発明の開示】
【発明が解決しようとする課題】
【０００６】本発明は上記のような従来技術の欠点を解消し誰もが身近に置く事が出来、緊急的水難災害時に於いて短時間で簡単に身体の廻りに浮遊体を作り濁流等に飲まれた時に身体を保護し呼吸用空気を確保し水に対する浮力を得て生命維持をする事を課題とする。
【課題を解決するための手段】
【０００７】浮遊体を作りその中に身体を入れる事で水没中の呼吸用空気、浮上用の浮力と傷害物より身体を守る保護用空気層を同時に確保する。【０００８】普通時（使用前）浮遊体を薄厚円形状に畳む事により持ち運びやタイヤの様に転がす事も出来て健常人は元よりお年寄りから子供等弱者にも携行及び移動が容易である。【０００９】液化気体及び圧縮気体を浮遊体の一部に組み込む事により浮遊体本体を携行可能な大きさにする事ができる。【００１０】身体を入れる空気室の廻りに液化気体及び圧縮気体により膨らませた空気室を設ける事で雑物、障害物との接触で起こり得る怪我等から身体を守る事ができる。【００１１】身体保護用空気室は衝撃緩衝気体室以上多数の空気室に別れ各々の部屋は一方方向空気弁で連結し、障害物による破損、破裂を最小限にする事が出来安全性をより高める事ができる。
【発明の効果】
【００１２】水難緊急浮遊救命具は子供から女性、老人まで移動が容易で複数収納も可能で水難事故、災害が予測される場所への携行及び設置が容易であり、ホテル、公共施設、学校等人が沢山集まる場所に大量設置する事で被害の防止が可能である。【００１３】緊急時、蓋を開けその中に身を置き底にあるバルブを足で踏むだけで衝撃緩衝空間と呼吸用空気室が同時に確保でき、蓋（進入戸）を閉める事で作業完了であり、精神混乱状態でも確実に操作する事ができる。【００１４】したがって、津波、水難災害時に避難できない人々が命を落す確立を少なくする事ができる。
【発明を実施するための最良の形態】
【００１５】以下、本発明にかかる水難緊急浮遊救命具の好適な実施の形態を添付する図１〜図４に基ずき詳述する。図１（Ａ）は衝撃緩衝気体室１を折り畳みその中に圧縮気体（圧縮液化気体）室４、進入戸２、圧縮気体（圧縮液化気体）解放バルブ３を組込み平常時小さく運びやすい物とし、積み重ねたり転がして運ぶ事も出来、老人、子供、その他非力な人でも容易に移動出来る物である。図１の（Ｂ）はその平面図である。【００１６】図２の（Ｃ）は作動に関する操作方法で人が入る為の進入戸２を開けた断面図であり（Ｄ）はその平面図である。図２の圧縮気体（圧縮液化気体）解放バルブ３は図１の（Ａ）の圧縮気体（圧縮液化気体）室４の圧縮気体（液化気体）室４から衝撃緩衝気体室１へ空気を送る為の圧縮気体（圧縮液化気体）解放バルブ３を一動作で作業終了させることで瞬時に衝撃緩衝気体室１の開放が容易確実に操作できる。【００１７】図３（Ｅ）は圧縮気体（圧縮液化気体）室４から衝撃緩衝気体室１、進入戸２へ気体が充填され膨らんだ状態の断面図であり、図３（Ｆ）はその平面図である。衝撃緩衝気体室１は衝撃等から身体を守る衝撃緩衝材となり同時に回避及び呼吸用空気室５を作る。空気により膨張した衝撃緩衝気体室１、進入戸２は障害物による破裂等トラブルを最小限にする為に衝撃緩衝気体室１を含む複数の部屋に分け各部屋は衝撃緩衝気体室１圧縮気体（圧縮液化気体）解放バルブ３を有し浮力及び衝撃緩衝材としての機能を損なわないようにする。【００１８】図４（Ｇ）は空気注入により膨張した進入戸２を内側より閉めた状態の断面図であり、図４（Ｈ）はその平面図である。進入戸２を閉める事で回避及び呼吸用空気室５が形成され人、動物等が外に放り出されるのを防ぐ。
【図面の簡単な説明】
【００１９】
【図１】本発明にかかる水難緊急浮遊救命具の収納時（使用前）の側断図（Ａ）及び平面図（Ｂ）である。
【図２】本発明にかかる水難緊急浮遊救命具の蓋（進入戸）を開けた側断面図（Ｃ及び平面図（Ｄ）である。
【図３】本発明にかかる水難緊急浮遊救命具のバルブを開け衝撃緩衝室を膨らませた側断面図（Ｅ）及び平面図（Ｆ）である。
【図４】本発明にかかる水難緊急浮遊救命具の蓋（進入戸）を閉め作業完了した側断面図（Ｇ）及び平面図（Ｈ）である。
【符号の説明】
【００１９】１  衝撃緩衝気体室
２  進入戸
３  圧縮気体（圧縮液化気体）解放バルブ
４  圧縮気体（圧縮液化気体）室
５  回避及び呼吸用空気室
【図１】
2007126113.tif 000003
【図２】
2007126113.tif 000004
【図３】
2007126113.tif 000005
【図４】
2007126113.tif 000006
(57)【要約】      （修正有）【課題】機構構造は簡単にして、機能性能は重視、操縦作動は確実にして飛行は安定安全で、経済的で耐久力のあるヘリコプタを提供する。【解決手段】ロ−タブロック１の揚力に対して１点関節４で接合した客室ブロック２の重心を、３本の索３の長さ調節でコントロ−ルして飛行をする。【選択図】図１
2007126110.tif 000002
【特許請求の範囲】
【請求項１】
ヘリコプタの揚力中心に対して、機体重心を任意に操る機構としたヘリコプタ。
【発明の詳細な説明】
【発明の詳細な説明】
本発明は、ヘリコプタの構造をエンジンとメインロ−タ、テルロ−タのブロック（以後ロ−タブロックと言う）と貨客操縦室（以後客室ブロックと言う）の結合を１点関節接合とし、回転は伴わない機構とする。
このロ−タブロックに対し客室ブロックの重心を前後左右と任意に操ってロ−タ面を傾け飛行するものとした。
今までのヘリコプタは、機体重心に対し揚力中心を移動させこれによってロ−タ面の傾きを得て飛行している。
この揚力移動の方法とは、各ブレ−ドのおのおのが決められた場所からの１回転中に捻りと戻りを行なって循環する。
この翼の迎角増減の繰り返し回転は次のような欠点を伴う。
（１）ロ−タハブの機構が複雑となり、斜板、リンク、ブレ−ドの作動繰り返しケ所は磨耗と疲労に対する保守点検が必要となる。
（２）ロ−タ中心より見て揚力と空気抵抗の不均衡から回転に振動と騒音を発生させる。
（３）ロ−タブレ−ドは毎回転揚力抗力の強弱の繰り返しを受ける事により疲労が進み寿命を縮める。
本発明は、上記の欠点を除く為には重心移動の方法が有利と考えてこれを進める事とした。
これは図のようにロ−タブロックと客室ブロックを十字ジョイントを使って１点関節接合とし、その回り３点で上下の間隔を索によってコントロ−ルする。
これによって客室ブロックの重心を任意に移動する事が出来、それに伴なったロ−タ面の傾きで飛行が出来るようにした。
この重心移動の方法は、今迄の揚力移動の方法に比べて製造の面又維持管理の面においてはるかに有利と考える。
又サイクルピッチの無くなったロ−タにおいては、揚力と空気抵抗が１定不変になる為振動と騒音は減少する。
さらにブレ−ドに掛かる負担も減って経済的で寿命を延ばす。
【図面の簡単な説明】
【図１】  本発明の側面図
【図２】  本発明の前進姿勢側面図
【図３】  本発明の旋同姿勢正面図
【符号の説明】
１      ロ−タブロック
２      客室ブロック
３      重心コントロ−ル索
４      十字ジョイント
【図１】
2007126110.tif 000003
【図２】
2007126110.tif 000004
【図３】
2007126110.tif 000005
(57)【要約】  【課題】  地面に単管を打ち込む際に、槌打ちで単管の上端が潰れないように保護する金具を、提供しようとするものである。  【解決手段】  金属製段付き丸棒で、脚部（丸棒の細い部分）を単管に差込み、槌打ちする。頭部（丸棒の太い部分）の下面で単管の上端に当たる部分は、１５度〜２５度の傾斜で傘状に広がる溝で、これが単管に被いかぶさることで、内側にも外側にも潰れずに、槌打ちできる。【選択図】図５
2007126916.tif 000002
【特許請求の範囲】
【請求項１】
単管外径より大きい径を持つ頭部２と、その下に単管内径より小さい径を持つ脚部３から成る金属製段付き丸棒で、頭部２と脚部３の接する段の所には、傘状に１５度〜２５度の傾斜角で広がる溝４を有することを特徴とする単管打込金具１。
【発明の詳細な説明】
【技術分野】
【０００１】
本発明は、地面に打ち込む単管の上端を保護する単管打込金具に関するものである。
【背景技術】
【０００２】
単管を使って作る簡易構造物は、イベント会場や工事現場や、農場ではビニールハウスなど数多く見られます。
固定の為に地面に槌打ちされた単管は、槌打ちによって上端が潰れると、以後使えなくなるか、研削等の補正で消耗し、耐久性がなくなります。
槌打ち時の変形・損傷を受け難くする先行技術の一つに、特許文献１に示したものがあります。
先行技術では、複数の金具形状が請求されておりますが、いずれも単管上端に当たって力を伝える部分が平面で、図２・図３に示すように、単管上端を外側か内側につぶし、外径を大きくするか、または内径を小さくします。
また単管の肉厚の違いで、金具との隙間が大きくなった時、図４のように単管と金具との中心線がずれ、単管に当たる金具の面が毎回違います、長期間の使用で金具の面が変形していた場合、単管の上端をより大きく変形させます。
【特許文献１】登録実用新案公報第３０１８６３１号
【発明の開示】
【発明が解決しようとする課題】
【０００３】
本件発明は、単管が変形しやすいという上記の欠点を解消し、変形を起こさせずに、打ち込みが出来ることを特徴とする金具であります。
【課題を解決するための手段】
【０００４】
本件発明は、上記の目的を達成する為に、頭部の下内側に１５度〜２５度の傘状の溝を設けた事であります。
【発明の効果】
【０００５】
図５と図６は、単管に金具をセットした図と、溝部４の拡大図ですが、この図から分かるように、溝による効果は、先行技術に対し、次の３点が挙げられます。
イ  単管は外側に広がらない。
ロ  単管に当たる溝の傾斜角が小さく内側に押す力がそれ程大きくないことと、内側に収縮しようとすると、物質自体が干渉するので、内側に潰れることも無い。
ハ  セットしたときに、単管内側と金具の脚部との隙間の大小は、あまり影響することなく自然と金具と単管の中心が一致し、槌打ちしたとき、単管に均等な力がかかる。
【発明を実施するための最良の形態】
【０００６】
材質は、槌打ちの衝撃で砕けないように適度な粘り強さと、簡単に潰れてしまわないように、適度の硬さを要します。
価格・加工性を考慮すると軟鋼〜硬鋼が適当です、耐久性を重視すればステンレス鋼も適当です。
【０００７】
形は、図７の寸法図に示すように、頭部外径Ｄ１は単管外径Ｄより１０ｍｍくらい大きく、長さＬ１は、槌打ちの衝撃を受け留めるため、単管外形Ｄと同じくらいが良い。
頭部上面の面取りＣ１（４５度の削取り）は、槌打ちで潰れてきても外径より広がらないようにする為で、筒状で単管に被せて叩く打込み器も使えます。
脚部長さＬ２は、槌打ちの衝撃で金具が単管から抜けないように、単管外径Ｄの１．５倍程度が適当と思います。
脚部外径Ｄ２は単管内径より４ｍｍくらい小さいのが適当です。
傘状に広がる溝の下端の直径Ｄ３は、単管が楽に溝の内側に収まるように、単管外径より６ｍｍ、半径で３ｍｍくらい大きいのが適当です。
【図面の簡単な説明】
【０００８】
【図１】単管打込み金具
【図２】先行技術の差込型の単管打込み金具と、単管とのセット図
【図３】先行技術の円筒型の単管打込み金具と、単管とのセット図
【図４】図２の金具で、中心のずれが生じている図
【図５】本件発明の単管打込み金具と単管とのセット図
【図６】図５の溝部４の拡大図
【図７】単管外径Ｄと肉厚ｔを基準にした単管打込み金具の寸法図
【符号の説明】
【０００９】
１  ：単管打込み金具
２  ：単管打込み金具の頭部
３  ：単管打込み金具の脚部
４  ：単管打込み金具の溝部
５  ：先行技術の差込型の打込み金具
６  ：先行技術の円筒型の打込み金具
７  ：単管
８  ：単管内空洞
９  ：単管肉厚
１０  ：単管上端の内外への潰れ
１１：単管上端の内側への潰れ
【図１】
2007126916.tif 000003
【図２】
2007126916.tif 000004
【図３】
2007126916.tif 000005
【図４】
2007126916.tif 000006
【図５】
2007126916.tif 000007
【図６】
2007126916.tif 000008
【図７】
2007126916.tif 000009
(57)【要約】      （修正有）【課題】商品（食品等）の季節感やイメージアップ、メッセージ性を持たせ、装飾を兼ね、箱の中で保冷剤が動かないように固定する。【解決手段】保冷剤充填物を透明度の高いジェル状にすることにより、ラメや金粉、食紅等の素材を容易に添加、全体に分散・定着しやすくし、常温においても保冷剤自体の美観を損なわないよう工夫した。またのりしろ部分に『穴あきのみみ』を取りつけることにより、シールや紐等の使用で、商品の美観を高めながら本体を容器に貼付・固定・装飾することを可能にした。【選択図】図２
2007126620.tif 000002
【特許請求の範囲】
【請求項１】
保冷の他に装飾を兼ねた保冷剤であり、保冷剤充填物を透明度の高いジェル状にすることにより、ラメや金粉、食紅等の素材を容易に添加、全体に分散・定着しやすくし、常温においても保冷剤自体の美観を損なわないよう工夫した。
本商品は装飾性及び実用性の双方を兼ね備えることを特徴とするイベント・贈答及び装飾用保冷剤である。
【請求項２】
前記、イベント・贈答及び装飾用保冷剤は、本体のりしろ部の一部にハサミ等の器具を使用することなく容易にカットできる点線の切り込みを入れた“穴あきのみみ”を設けた。それによりシールや紐等の使用で、商品の美観を損なうことなく本体を必要に応じて容器に貼付・固定・装飾することを可能にした。
【請求項３】
本体外観をいろいろな形に成形することにより実用性及び装飾性・メッセージ性を持たせているのが特徴である。
（例・ツリー型、リボン型、ハート型、雪型、花等）
装飾素材の充填物を使用する関係状、表面は内容物（充填物）が見える透明素材を使用するが、その表面にインク等で文字（メッセージ）を記入することで、その文字自体も装飾の一部として効果的に活かすことができる。
また保冷剤以外にもオーナメント等の装飾品として単体での使用を可能にした。
【発明の詳細な説明】
【技術分野】
【０００１】本発明は保冷剤に関する。
【背景技術】
【０００２】従来保冷剤は四角い形が一般的に生産、使用されている。その保冷剤は無味乾燥であり冷やす為だけの道具になっている。
保冷剤に装飾性を持たせることでリサイクル効果が期待でき、また場合に応じて、保冷剤が必要な商品（食材等）に当保冷剤を付加することで、商品全体のイメージを効果的に高めることが可能になる。【０００３】現行では単体で使用することがなく、またデザイン性も乏しいため添付品として消費されるだけの使い捨ての状態にある。
また単体で固定できない物が多いため、袋や箱の中で動いてしまう。【０００４】なお、本願発明に関連する公知技術として次の特許文献１を挙げることができる。【０００５】
【特許文献１】特許公開  平５−１０５８１６
【発明の開示】
【発明が解決しようとする課題】
【０００６】上述のごとく従来、保冷剤は単体で使用することが無く、デザイン性も乏しいため、使い捨ての状態にある。現行の単なる“おまけ”を“装飾品”に変えることで、保冷剤が必要な商品（食材等）が持つメッセージ性やイメージを高めたり、環境のためにも“リサイクル意識”や別の用途での使用が一般に定着することを期待している。【０００７】美観を保ちながら中で動いてしまう保冷剤を持ち運び時に動かないように固定できる。【０００８】本発明はこのような点を考慮し四角の保冷剤の形を変えたり、中にラメや食紅、金粉を入れることにより季節感やイメージ及びメッセージ性を高めたり、環境のためにも“リサイクル意識”を植え付けられる可能性がある。
【課題を解決するための手段】
【０００９】上述の目的を達成する本発明のイベント・贈答及び装飾用保冷剤は中にラメや食紅、金粉を入れ、形を効果的に変えることにより商品（食品）の季節感やイメージ及びメッセージ性を高めた。
更にのりしろ部分に『穴あきのみみ』を取りつけることにより、シールや紐等の使用で綺麗に固定できることを特徴とする。【００１０】一例としてイベント・贈答及び装飾用保冷剤はクリスマス・お誕生日・バレンタイデーなどの季節のイベント及び贈答時において、保冷が必要な食料品等に装飾を兼ねて添付し使う物とする。
【発明の効果】
【００１１】以上説明したように本発明は、保冷剤の形、中身を変えることにより保冷を必要とする商品（食材等）の季節感やイメージアップさせたり、メッセージ性を持たせることが可能となる。なおかつのりしろ部分に『穴あきのみみ』を取りつけることにより、シールや紐等の使用で美観を損なうことなく本体を必要に応じて容器に貼付・固定・装飾することを可能にした。
【発明を実施するための最良の形態】
【００１２】以下、本考案の実施の形態を図面に基づき詳細に説明する。【００１３】図１は本考案の形態（上面部）である。
（一例としてハート型）【００１４】図のようにイベント・贈答及び装飾用保冷剤は、のりしろ部分に『穴あきのみみ』を取りつけることによりシールや紐等の使用で目的に応じた装飾をしながら、商品の外観を損ねることなく本体を容器に貼付・固定することを可能にした。【００１５】イベント及び装飾用保冷剤は基本的には一般の保冷剤と同様、食料品等の保冷が必要なものに添付して使うものとする。【００１６】形をいろいろ変えることにより季節感やメッセージ性を持つ保冷剤となる。【００１７】イベント・贈答及び装飾用保冷剤は無味乾燥であった四角で白い保冷剤を形、色等を変えることにより商品全体の視覚的イメージを効果的に高めることが可能になる。【００１８】保冷剤以外にも『穴開きのみみ』に紐を通して使用することで、冷凍せずにオーナメント等の装飾品として単体使用が可能である。
【実施例】
【００１９】商品の季節感やイメージアップ、メッセージ性を持たせ、なおかつのりしろ部分に『穴あきのみみ』を取りつけることにより、シールや紐等の使用で、美観を損なうことなく本体を容器に貼付・固定・装飾することが可能。【００２０】イベント及び装飾用保冷剤は７，８センチ以内とレ、通常の食品等を冷やせ、なおかつ添付できる大きさとする。
【図面の簡単な説明】
【００２１】図１に示すように、季節感やメッセージ性のある形の保冷剤に器具を使わずに本体から簡単に切り離せるよう『穴開きのみみ』を取り付けてある。
穴は紐やゴム等を通すことで美観を保ちながら安定して商品に固定することが可能となり、且つ取り付け方次第でその紐自体も装飾の一部として活用できる。【図１】はイベント及び装飾用保冷剤の上面図（全体図）、
【図２】は穴開きのみみ拡大図である。
【符合の説明】
【００２２】１  装飾素材混入充填物入り本体
２  みみ
３  ホール（穴）
４  点線の切り込み
【図１】
2007126620.tif 000003
【図２】
2007126620.tif 000004
(57)【要約】      （修正有）【課題】衣類、布製品、カーペット、ソファー、プラスチック、金属、床面などの表面に付着した油脂成分等を、その表面を損傷させることなく洗浄できる、環境に配慮した洗浄剤組成物の提供。【解決手段】天然高級アルコール系非イオン界面活性剤を主成分とし、グレープフルーツ、オレンジ、レモンのＤ−リモネン等を配合することを特徴とする水溶性のアルカリ性洗浄剤組成物。【効果】油汚れの洗浄力が向上し、洗浄後の排水による環境汚染の影響を防止することができる。【選択図】なし【特許請求の範囲】
【請求項１】
天然高級アルコール系非イオン界面活性剤、グレープフルーツ、オレンジ、レモンのＤ−リモネン等を配合することを特徴とする水溶性のアルカリ性洗浄剤組成物。
【発明の詳細な説明】
【技術分野】
【０００１】  ▲１▼衣類・布製品のシミと油汚れの洗浄、▲２▼カーペット・ソファーのシミと油汚れの洗浄、▲３▼プラスチック・金属・床面などの油汚れの洗浄、▲４▼排水パルプの臭いを除去し汚れの洗浄を用途とする水溶性のアルカリ性洗浄剤組成物に関するものである。
【背景技術】
【０００２】  これまでの洗浄剤組成物は、有機溶剤や非イオン系の環境ホルモンやＰＲＴＲ法に該当する界面活性剤を使用し、弱アルカリ性の配合物のもので、洗浄力や洗浄後の環境汚染に課題がある。
【発明の開示】
【発明が解決しようとする課題】
【０００３】  本発明は、洗浄力を向上し、洗浄後の排水汚染を防止することにある。さらに、洗浄剤の使用量を減らし、素材の損傷を防ぐことである。
【課題を解決するための手段】
【０００４】  前述の課題を解決するために本発明者は、鋭意研究の結果、天然高級アルコール系非イオン界面活性剤を主成分としたものに、グレープフルーツ、オレンジ、レモンのＤ−リモネン等を配合することにより、洗浄力向上、油分解力、高い生分解性のある水溶性のアルカリ性洗浄剤組成物を発見した。
【発明の効果】
【０００５】  本発明は、洗浄力が向上し、洗浄後の排水による環境汚染の影響を防止することができる。
【発明を実施するための最良の状態】
【０００６】  本発明の洗浄剤組成物は液体である原液又は希釈した洗浄液を、洗浄面に吹き付けるか、スポンジに浸す。その後、乾いた布で拭き取る。
【家庭用、業務用、産業上の利用可能性】
【０００７】  本発明の洗浄剤組成物は、工業的に量産することが可能であり、家庭用、業務用、産業上の利用可能性を有する。
(57)【要約】      （修正有）【課題】作業場や建設物などの解体現場で発生する粉塵のうち、特に有害アスベストの拡散防止に関しては、作業着を現場から持ち帰って洗濯することも、作業員の身体にアスベストの粉塵が付いたまま現場から出ることも法律で禁止している。従って、現場ごとに対策を講じるしかない。【解決手段】本発明は、粉塵の拡散防止の義務化に対応した機能を、駐車場１台分のスペースに凝縮しユニット化して、移動可能な仮設的な建て屋の考案を提供するもので、現場ごとに専用施設を建設しなくても、運搬と設置が簡単で繰り返し利用が可能であるから、作業員や周辺住民への健康被害を回避できることになる。【選択図】図１
2007126812.tif 000002
【特許請求の範囲】
【請求項１】
粉塵が身体に付着したとき、当該粉塵を作業場外に拡散させないための、使用済み防護衣類を廃棄する前室（４）を設け、粉塵を吹き飛ばすエアシャワー（５）、粉塵を洗い流す洗濯・洗眼室（６）と洗体のためのシャワー室（７）、及び当該粉塵を持ち帰らぬための更衣室（２）設備を、作業員の動線が交わらない間取りに備えることを特徴とする、仮設型の運搬と設置が容易な移動式粉塵清浄用建て屋。
【発明の詳細な説明】
【特許の詳細な説明】
【特許の属する技術分野】
【０００１】  本特許は、作業現場で身体に付いた粉塵を洗浄する、移動式の建て屋ユニットに関する。
【背景技術】
【０００２】  周知の通り、作業現場により様々な粉塵が身体に付着するが、特にアスベスト等の有害な粉塵に関しては現場外に拡散させないための細心の注意が必要である。【０００３】  そこで、工場等の定置型の作業所では浴室などの洗体のための施設を整えている。【０００４】  しかし、建設現場などは場所も変わり短期間であるために浴室まで用意できず、身体に粉塵が付着したまま構外に出て、有害粉塵を拡散してしまっているのが実状である。
【発明の開示】
【発明が解決しようとする課題】
【０００５】  新たな法律では、建設物などの解体工事で有害アスベストを撤去する際は、外部への拡散を防止するため、作業員の身体にアスベストの粉塵が付いたまま現場から出ることを禁止している。【０００６】  また、防護服や防塵マスクは使い捨てで処理できるが、作業着を現場から持ち帰って洗濯することも有害アスベストの拡散につながり、これも危険行為であるとしている。【０００７】  そこで、本発明は、現場ごとに移動可能な、ユニット式で粉塵の拡散を防止する仮設的な建て屋の考案を提供するものである。
【課題を解決するための手段】
【０００８】  本特許が上記課題を解決するにあたり、現場の電気や給排水等の仮設設備でもユニットの中に必要な機能を組み込めるものとする。【０００９】  当該ユニット内部は、通勤時と退勤時における作業員の動線の交差を避ける間仕切りとする。【００１０】  更に、現場内で付着した粉塵を外部に出さないために、身体に付着した粉塵はもちろん、衣類に付着した粉塵もユニット内で処理する。【００１１】  そこで、第１段階として、退勤時は現場から前室にて防護服を専用の廃棄ボックスに投入し、第２段階で防塵マスクを着けたままエアシャワー室で身体や衣類に付いた粉塵を除去する。【００１２】  次に、第３段階として洗眼・脱衣室で作業衣や下着類を洗濯機に投入し、シャワーで身体に付着した粉塵を洗い流した後、ロッカールームで通勤用の衣類に着替える一連の動線を確保する。【００１３】  以上の機能をコンパクトに収納し運搬と設置を簡易化するために、海上や列車のコンテナを改造することが考えられ得る。
【発明の効果】
【００１４】  以上、現場ごとに専用施設を建設しなくても、ユニット化して乗用車１台分のスペースに収納することは、運搬と設置が簡単で繰り返し利用が可能であるから、粉塵の構外への拡散防止の義務化にも確実に対応し、作業員以外にも周辺住民への健康被害を回避できることになる。
【考案実施の形態】
【００１５】  本考案の実施形態について具体的に図面に基づいて説明する。
【００１６】  図１において、作業員の動線は、出勤時に通勤口（１）から更衣室（２）に入り、通勤服を作業衣に着替え、防護具設置ブース（２ｂ）の防護着衣を着けて現場へ向かう。
【００１７】  作業を終えた作業員は、現場からの進入口（３）から入り、前室（４）で防護マスク以外の防護衣を脱衣して処分ブース（４ａ）に廃棄した後、エアシャワー室（５）に進み防護マスクを着けたままエアシャワーを浴びる。
【００１８】  次に、洗眼・脱衣室（６）で作業衣と下着類を脱いで洗濯機（６ａ）に投入し、防護マスクを専用ボックスに納めて洗眼とうがいをする。
【００１９】  最後に、シャワー室（７）で洗体して身体についた粉塵を洗い流したうえで、通勤時に着てきた衣服に更衣室（２）で着替えて通勤口（１）から退出するといった動線計画で、出勤時と退勤時とで動線が交叉しないように計画している。
【図面の簡単な説明】
【００２０】
【図１】  本考案の実施形態のユニット内間取り図である。
【符号の説明】
【００２１】      （１）    通勤口
（２）    更衣室
（２ａ）  ロッカー
（２ｂ）  防護具設置ブース
（３）    現場からの進入口
（４）    前室
（４ａ）  処分ブース
（５）    エアシャワー室
（６）    洗眼・脱衣室
（６ａ）  洗濯機
（７）    シャワー室
（８）    給湯器
【図１】
2007126812.tif 000003
(57)【要約】【課題】  長時間の正座時には、体重が足を圧迫することによる足のしびれや痛みが発生する。これを解決する。【解決手段】  この課題を解決するためのに、足のかかとから足の甲までを覆う、樹脂製・金属製・木製などの薄く強固なカバーを足に取り付け、正座時に体重がカバーにかかる事により、正座時の足のしびれや痛みが無くなる。また、足のかかとから足の甲までを薄いカバーで覆うのもであり、見た目も目立つこと無く、装着した状態で歩き回っても違和感が無い。【選択図】図１
2007126803.tif 000002
【特許請求の範囲】
【請求項１】
長時間の正座時に、体重が足を圧迫することによる、足のしびれや痛みを防止することを特徴とした、足カバー。
【発明の詳細な説明】
【技術分野】
【０００１】  本発明は、長時間の正座時に、体重が足を圧迫することによる足のしびれや痛みを防止する、足の補助具に関するもである。
【背景技術】
【０００２】  従来から、正座時の足のしびれや痛みを防止する補助具としては、小型の座椅子タイプのものや、座布団の形状を工夫して効果を出すものがある。また、足に補助具を装着するタイプものとして、特許文献１が開示されている。足首に補助具を装着するタイプものとして、特許文献２・特許文献３・特許文献４が開示されている。
【特許文献１】                特許公開２００２−２４２０１１
【特許文献２】                実用新案公開平７−００３３９９
【特許文献３】                実用新案公開平６−０６６４０２
【特許文献４】                実用新案公開平６−０４４４６６
【発明の開示】
【発明が解決しようとする課題】
【０００３】  従来の小型の座椅子タイプのものや、座布団の形状の工夫によるものでは、持ち運びが不便であり、装着にも手間がかかる。また、足に補助具を装着するタイプの特許文献１では、足にかかる体重を緩和するものであり、長時間の効果はない。足首に補助具を装着するタイプの特許文献２・特許文献３・特許文献４では、装着する手間がかかり、装着して歩き回った場合は見た目もよくなく、足首にも違和感がある。
【課題を解決するための手段】
【０００４】  この課題を解決するための発明は、足のかかとから足の甲までを覆う、樹脂製・金属製・木製などの薄く強固なカバーを足に取り付け、正座時に体重がカバーにかかる事により、正座時の足のしびれや痛みが無くなる。（図４参照）また、足のかかとから足の甲までを薄いカバーで覆うのもであり、見た目も目立つこと無く、装着した状態で歩き回っても違和感が無い。（図３参照）
【発明の効果】
【０００５】  本発明により、正座時の足のしびれや痛みがなくなり、長時間の正座でも負担が無くなる。また、足に装着して歩き回れるので、持ち運びや装着の手間が無くなる。
【発明を実施するための最良の形態】
【０００６】  図１のような形状で、足に履いた上体で、足の甲から足のかかとまでを覆うカバーとする。【０００７】  材質は、薄く軽量かつ強固な樹脂製・金属製・木製などとし、体重がカバーにかかっても、変形・破損しないような物とする。また、変形・破損しない範囲で、足への密着性をよくするために、収縮性の材質を使用してもよい。【０００８】  軽量化や通気性をよくするために、体重がカバーにかかっても、変形・破損しない範囲で、カバーに穴をあけたり、メッシュ構造の素材にしてもよい。【０００９】  履きごこちや正座時の座りごこちを向上させるために、足カバーの内外面にクッションになる布・樹脂などを貼り付けまたは、コーティングしてもよい。【００１０】  足カバーの端面にゴム・布などの柔軟性の素材を取り付け履きごこちを良くしたり、足カバーを履いているのを目立たなくしてもよい。
【産業上の利用可能性】
【００１１】  本発明に係わる技術は、従来技術を利用して製造可能であり、産業上の利用可能性を有する。
【図面の簡単な説明】
【００１２】
【図１】  足カバーの立体構造図である。
【図２】  足カバーの端面にゴム・布などの柔軟性の材質を取付けた場合の、立体構造図である。
【図３】  足カバー装着時の直立時の足の側面図である。
【図４】  足カバー装着時の正座時の足の側面図である。
【符号の説明】
【００１３】  １  足カバー
２  足
３  おしり
４  ゴム・布などの柔軟性の材質
【図１】
2007126803.tif 000003
【図２】
2007126803.tif 000004
【図３】
2007126803.tif 000005
【図４】
2007126803.tif 000006
(57)【要約】【課題】  無撚りの線條集合体を開線して並列する方法としてエアー吹付けや静電気で開線する方法の他、溝等を拡張して線條を開線する方法に於ける開線の不均衡による乱れに関する。【解決手段】  線條集合体を相対的に設置した複数の多段ローラーにより線條集合体の送り出しと複数の多段ローラーとの接触条件を変化させて開線並列する方法。【特許請求の範囲】
【請求項１】
無機質線條、有機質線條等の多数集束した集合体を開線して並列する為にその集合線條体を相対的に設置した複数の多段ローラーを設置しこのローラーに集合線條体を接触させて開線並列するため、その送り速度と接触角度及び多段開線ローラー個々の回転速度を変速調整してその接触速度差と接触角度とを利用して集合線條を開線して並列状に単線條を並べて引取る集合線條の並列引取り法。
【発明の詳細な説明】
【技術の分野】
【０００１】  本発明は無撚りの多数の線條集合体の束を開線して平列に並べて引取る開線並列方法に関する。
【背景技術】
【０００２】  無撚りの線條集合体を開線して並列に並べる方法は  ▲１▼集合線條を櫛状の突起にて分散して引取るものや櫛状に溝を切り込んだローラーなどで分離送りする方法  ▲２▼エアー等を吹き付けて分散させて引取る方法  ▲３▼静電気等で散開させて引取る方法等が実施されている。特開平１０−１２１３４４、特開平１１−２００１３６、特開平８−１４４１７１
【発明が解決しようとする課題とその手段】
【０００３】  多数の線條が集束された集合体を開線して並列に整えて引取る方法は前項に記載した如く多くの方法があるが単純な方法で整然と開線並列する事は至難で多数の線條の内には乱れた線條が混入することは当然であり、エアーや静電気等で開線を繰り返しても前工程で整列された線條が次の開線工程で乱れてしまい何度繰り返しても整列した線條が乱れ、乱れた線條が整列する結果に終わるものである。
【０００４】  本願では多段の線條並列用ローラーを順次その集合線條がローラーと接触する事により整列されていくために線條が常に整列化されて乱れる事がなく進行されるものであり、その線條の送り出し速度とローラーの回転表面速度とに若干の差をつけて接触させる事で不整列な線條は順次整列されていく方式で並列するものである。このため一対の各ローラーは線條と概ね５度から４５度の範囲の角度で設置されその相対する一対のローラーの速度は同一とし、順次次のローラーと接触されその速度は変化調整されながら何回にも並列化されていく事により並列線條とする。このローラーは相対して多段に設置され集合線條の片面だけが接触されて不均衡な開線並列にならずに上下両面から平らかに整列されるものである。開線ロールの駆動に於いて多数組の開線を同時に実施する時は駆動モーターと長尺シャフトとを連結し対応して行う。設置ローラーの数は集合線條の多少等により決定されるものであり集合線條の送り出し速度と接触ローラーとの角度及びその回転速度を個々に変化調整する事により整然と並列される。
【発明実施の形態】
【０００５】  以下図面を用いて本願発明の実施形態を説明する。
【図面の簡単な説明】
【図１】  １  集合線條  ２  並列用ローラー  ２′  〃    ３  並列用ローラー  ３′  〃    ４  可変速駆動モーター  ５  並列化されていく線條  ６  並列線條  ７  巻き取り用トルクモーター
【図１】
2007126801.tif 000002